(57)【要約】【課題】測定対象物を破壊することなく、また遮蔽体を使用せずに微量の放射能を測定する。【解決手段】放射能測定システムは、制御部が、検出部で測定対象物のガンマ線を測定するサンプル測定部と、前記検出部で前記測定対象物と同じ大きさ及び重量の予め用意した無汚染物を用いて周囲からのガンマ線を測定するバックグラウンド測定部と、前記サンプル測定部で取得したガンマ線のデータと前記バックグラウンド測定部で取得したガンマ線のデータとの差分から前記測定対象物に含まれる放射能を算出する差分算出部と、を有し、前記検出部は、前記測定対象物のある場所において上方に前記測定対象物が非破壊で載置されると共に、周囲のガンマ線を遮蔽する遮蔽体を設けずに前記差分算出部で微量の放射能を算出するために前記測定対象物の測定と同じ場所で前記無汚染物の測定が行われる、ことを特徴とする。【選択図】図１
2018151225.tif 000002
【特許請求の範囲】
【請求項１】
ガンマ線が入射すると発光する結晶シンチレータ、及び前記結晶シンチレータの光を検出するための光電子増倍管を備えた検出部と、前記検出部による測定を制御する制御部と、を有する放射線測定システムであって、
前記制御部は、
前記検出部で測定対象物のガンマ線を測定するサンプル測定部と、
前記検出部で前記測定対象物と同じ大きさ及び重量の予め用意した無汚染物を用いて周囲からのガンマ線を測定するバックグラウンド測定部と、
前記サンプル測定部で取得したガンマ線のデータと前記バックグラウンド測定部で取得したガンマ線のデータとの差分から前記測定対象物に含まれる放射能を算出する差分算出部と、を有し、
前記検出部は、前記測定対象物のある場所において上方に前記測定対象物が非破壊で載置されると共に、周囲のガンマ線を遮蔽する遮蔽体を設けずに前記差分算出部で微量の放射能を算出するために前記測定対象物の測定と同じ場所で前記無汚染物の測定が行われる、
ことを特徴とする放射能測定システム。
【請求項２】
前記検出部を複数にすることで感度を上げて測定時間を短縮させる、
ことを特徴とする請求項１に記載の放射能測定システム。
【請求項３】
前記検出部を複数にして前記測定対象物の複数の部位において測定する、
ことを特徴とする請求項１に記載の放射能測定システム。
【請求項４】
予め複数の大きさ及び重量の無汚染物を用いて周囲からのガンマ線を測定したデータを蓄積しておくデータ記憶部と、
前記サンプル測定部で測定した前記測定対象物と同じ大きさ及び重量の無汚染物における周囲からのガンマ線のデータを前記データ記憶部から抽出するデータ照合部と、を有し、
前記差分算出部は、前記サンプル測定部で取得したガンマ線のデータと前記データ照合部で取得したガンマ線のデータとの差分から前記測定対象物に含まれる放射能を算出する、
ことを特徴とする請求項１乃至３の何れか一に記載の放射能測定システム。
【請求項５】
ガンマ線が入射すると発光する結晶シンチレータ、及び前記結晶シンチレータの光を検出するための光電子増倍管を備えた検出部を用いて非破壊で放射能を測定する方法であって、
測定対象物のある場所において前記検出部の上方に載置した前記測定対象物のガンマ線量を測定し、
前記測定対象物の測定と同じ場所において前記検出部の上方に載置した前記測定対象物と同じ大きさ及び重量の予め用意した無汚染物のガンマ線量を測定し、
前記測定対象物のガンマ線量から前記無汚染物のガンマ線量の差分から周囲のガンマ線の影響を排除した前記測定対象物に含まれる放射能を算出することにより、
前記検出部の周囲にガンマ線を遮蔽する遮蔽体を設けずに、微量の放射能を算出する、
ことを特徴とする放射能測定方法。
【請求項６】
前記検出部を複数にすることで感度を上げて測定時間を短縮する、
ことを特徴とする請求項５に記載の放射能測定方法。
【請求項７】
前記検出部を複数にして前記測定対象物の複数の部位において測定する、
ことを特徴とする請求項５に記載の放射能測定方法。
【発明の詳細な説明】
【技術分野】
【０００１】
本発明は、測定対象物を破壊することなく、また遮蔽体を使用せずに微量の放射能を測定するシステムに関する。
【背景技術】
【０００２】
シイタケ栽培用原木の生産及びその原木を用いたシイタケ栽培は、東北地方太平洋沖地震に伴う福島第一原子力発電所事故によって深刻な被害を受けている。福島県やその周辺県の自県産原木調達率は原発事故前の１０％にまで落ち込んでおり、すぐに使用できる放射能濃度の低い原木林を選定する必要がある。シイタケ栽培用原木についても、現場で放射能を測定し、放射能の高い原木を除外するための測定器が必要である。
【０００３】
従来の測定器は、測定対象物の形状によっては正確な測定が困難な場合もあるため、測定対象物を細かく切り刻んで測定していたが、測定対象物を破壊せずにそのまま測定する方法も考えられている。特許文献１に記載されているように、放射線汚染により発生するガンマ線から非破壊で判定する放射性汚染物質用非破壊検査装置の発明が開示されている。
【先行技術文献】
【特許文献】
【０００４】
【特許文献１】特開平８−２２００２９公報
【発明の概要】
【発明が解決しようとする課題】
【０００５】
しかしながら、特許文献１に記載されているような非破壊検査装置では、厚さが３０〜５０ｍｍもある鉛製の遮蔽体を用いているので、総重量も約４トンになり、原木生産林に持ち込むのは不可能である。なお、遮蔽体は、周囲の放射能の影響を排除して測定対象物に含まれる微量の放射能を測定することを可能にしている。
【０００６】
そこで、本発明は、測定対象物を破壊することなく、また遮蔽体を使用せずに微量の放射能を測定するシステムを提供することを目的とする。
【課題を解決するための手段】
【０００７】
上記の課題を解決するために、本発明である放射能測定システムは、ガンマ線が入射すると発光する結晶シンチレータ、及び前記結晶シンチレータの光を検出するための光電子増倍管を備えた検出部と、前記検出部による測定を制御する制御部と、を有する放射線測定システムであって、前記制御部は、前記検出部で測定対象物のガンマ線を測定するサンプル測定部と、前記検出部で前記測定対象物と同じ大きさ及び重量の予め用意した無汚染物を用いて周囲からのガンマ線を測定するバックグラウンド測定部と、前記サンプル測定部で取得したガンマ線のデータと前記バックグラウンド測定部で取得したガンマ線のデータとの差分から前記測定対象物に含まれる放射能を算出する差分算出部と、を有し、前記検出部は、前記測定対象物のある場所において上方に前記測定対象物が非破壊で載置されると共に、周囲のガンマ線を遮蔽する遮蔽体を設けずに前記差分算出部で微量の放射能を算出するために前記測定対象物の測定と同じ場所で前記無汚染物の測定が行われる、ことを特徴とする。
【０００８】
また、前記放射能測定システムにおいて、前記検出部を複数にすることで感度を上げて測定時間を短縮させる、ことを特徴とする。
【０００９】
また、前記放射能測定システムにおいて、前記検出部を複数にして前記測定対象物の複数の部位において測定する、ことを特徴とする。
【００１０】
また、前記放射能測定システムにおいて、予め複数の大きさ及び重量の無汚染物を用いて周囲からのガンマ線を測定したデータを蓄積しておくデータ記憶部と、前記サンプル測定部で測定した前記測定対象物と同じ大きさ及び重量の無汚染物における周囲からのガンマ線のデータを前記データ記憶部から抽出するデータ照合部と、を有し、前記差分算出部は、前記サンプル測定部で取得したガンマ線のデータと前記データ照合部で取得したガンマ線のデータとの差分から前記測定対象物に含まれる放射能を算出する、ことを特徴とする。
【００１１】
本発明である放射能測定方法は、ガンマ線が入射すると発光する結晶シンチレータ、及び前記結晶シンチレータの光を検出するための光電子増倍管を備えた検出部を用いて非破壊で放射能を測定する方法であって、測定対象物のある場所において前記検出部の上方に載置した前記測定対象物のガンマ線量を測定し、前記測定対象物の測定と同じ場所において前記検出部の上方に載置した前記測定対象物と同じ大きさ及び重量の予め用意した無汚染物のガンマ線量を測定し、前記測定対象物のガンマ線量から前記無汚染物のガンマ線量の差分から周囲のガンマ線の影響を排除した前記測定対象物に含まれる放射能を算出することにより、前記検出部の周囲にガンマ線を遮蔽する遮蔽体を設けずに、微量の放射能を算出する、ことを特徴とする。
【００１２】
また、前記放射能測定方法において、前記検出部を複数にすることで感度を上げて測定時間を短縮する、ことを特徴とする。
【００１３】
また、前記放射能測定方法において、前記検出部を複数にして前記測定対象物の複数の部位において測定する、ことを特徴とする。
【発明の効果】
【００１４】
本発明によれば、測定対象物を破壊することなく、また遮蔽体を使用せずに微量の放射能を測定することができる。また、遮蔽体を使用しないため、装置自体が非常に軽く、現場に簡単に持ち運ぶことができる。さらにコストも低く抑えることができる。
【図面の簡単な説明】
【００１５】
【図１】本発明である放射能測定システムの装置構成を示す図である。
【図２】本発明である放射能測定システムの測定方法について説明する図である。
【図３】本発明である放射能測定システムによる測定結果を示すグラフである。
【図４】本発明である放射能測定システムの検出器の設置位置を比較した図である。
【図５】本発明である放射能測定システムについて従来と比較したグラフである。
【図６】本発明である放射能測定システムにおける処理の流れを示すフローチャートである。
【発明を実施するための形態】
【００１６】
以下に、本発明の実施形態について図面を参照して詳細に説明する。なお、同一機能を有するものは同一符号を付け、その繰り返しの説明は省略する場合がある。
【実施例１】
【００１７】
まず、本発明である放射能測定システムの構成について説明する。図１は、放射能測定システムの装置構成を示す図である。図１に示すように、放射能測定システム１００は、検出部２００、及び制御部３００等を有し、測定対象物４００を破壊することなく測定対象物４００に含まれる放射能を推定する。測定対象物４００としては、例えば、シイタケの原木栽培に使用するために一定の長さに切断されたホダ木などである。
【００１８】
放射能測定システム１００は、少なくとも検出部２００が可搬式であり、測定対象物４００を検出部２００が設置された測定場所に運び入れるのではなく、検出部２００を測定対象物４００が存在する測定場所に運び入れる。放射能測定システム１００では、検出部２００を運搬するため遮蔽体を設けない。すなわち、放射能測定システム１００は、バックグラウンドの空間線量が高い環境下でも測定する手法を備える。
【００１９】
検出部２００は、結晶シンチレータ２１０と光電子増倍管２２０を用いたシンチレーションカウンターである。結晶シンチレータ２１０は、ガンマ線が入射されると発光する。光電子増倍管２２０は、結晶シンチレータ２１０が発した光を検出する。なお、検出部２００で検出した量は、イベント数として表す。
【００２０】
検出部２００は、主に福島第一原子力発電所事故で飛散した放射性セシウム（１３７Ｃｓ，１３４Ｃｓ）から放射されるガンマ線（１３７Ｃｓ：６６２ｋｅＶ，１３４Ｃｓ：６０５ｋｅＶ，７９６ｋｅＶ）を測定する。
【００２１】
検出部２００は、複数（例えば、４個）設けることにより感度が向上する。検出部２００を４チャンネルで構成する場合、図１に示すように、結晶シンチレータ２１０が中央に集まるように配置すれば良い。なお、検出部２００の感度が良くなれば、測定時間も短縮される。
【００２２】
制御部３００は、少なくとも、バックグラウンド測定部３１０、サンプル測定部３３０、差分算出部３６０を有し、必要に応じて、データ記憶部３２０、サイズ確認部３４０、データ照合部３５０、結果出力部３７０等を備えても良い。制御部３００は、検出部２００等から取得した入力データ（信号）から放射能を算出して結果データを出力する。
【００２３】
制御部３００の例としては、コンピュータのＣＰＵ等のプロセッサであり、検出部２００を外部入力装置として接続すれば良い。制御部３００は、各部において予め設定された放射能の測定手順に従って処理を実行する。
【００２４】
次に、本発明である放射能測定システムによる放射能の測定について説明する。図２は、放射能測定システムの測定方法について説明する図である。放射能測定システム１００では、図２（ａ）に示すように、サンプル測定部３３０において検出部２００で測定対象物４００を測定する処理を実行し、図２（ｂ）に示すように、バックグラウンド測定部３１０において検出部２００で無汚染物４１０を測定する処理を実行し、図２（ｃ）に示すように、差分算出部３６０において放射能を推定する処理を実行する。
【００２５】
サンプル測定部３３０では、測定対象物４００に含まれる放射性セシウムから放射されるガンマ線と、測定場所の周囲、特に地面５００から放射されるガンマ線の両方を含むデータを、検出部２００で測定する。
【００２６】
バックグラウンド測定部３１０では、無汚染物４１０を検出部２００の上部に載置して、測定場所の周囲、特に地面５００から放射されるガンマ線のみのデータを測定する。なお、測定対象物４００とほぼ同じ大きさ及び重量の無汚染物４１０を用いるものとする。無汚染物４１０は、放射性セシウムを含んでおらず、ガンマ線が照射されないものであれば良い。無汚染物４１０を用いることで、測定対象物４００自身が持つガンマ線の遮蔽効果も再現される。
【００２７】
測定対象物４００には個々に大きさ及び重量に微差があるが、それごとに無汚染物４１０を用意するのは効率が悪いので、同程度の大きさ及び重量の測定対象物４００に対して、一の無汚染物４１０を用いれば良い。この無汚染物４１０は、測定対象物４００と同じ大きさ及び重量のものとして扱う。そして、必要に応じて誤差の調整をしても良い。
【００２８】
なお、測定対象物４００と同じ大きさ及び重量の無汚染物４１０を用意しても良いが、ガンマ線を放射している箇所の質量を精度良く決めるのは難しいことから、従来のゲルマニウム（Ｇｅ）半導体検出器によるデータとの相関から換算の係数を求めて、そこから質量あたりの放射能に変換するようにしても良い。
【００２９】
差分算出部３６０では、測定対象物４００に含まれる放射性セシウムから放射されるガンマ線のみのデータを算出する。すなわち、サンプル測定部３３０で取得したガンマ線のデータから、バックグラウンド測定部３１０で取得したガンマ線のデータを差し引くことで、測定対象物４００に含まれる放射能を推定する。
【００３０】
図３は、放射能測定システムによる測定結果を示すグラフである。なお、空間線量が０．０６〜０．０８μＳｖ／ｈの屋外で測定され、横軸をガンマ線のエネルギー（ｋｅＶ）、縦軸をイベント数として示す。放射能測定システム１００では、バックグラウンド以下のレベルの微量な放射能（林野庁が定めている指標は、５０Ｂｑ／ｋｇ以下）を測定する。
【００３１】
微量の放射能を測定するためには、バックグラウンドの差引きが重要となる。例えば、地面の線量が０．０８μＳｖ／ｈの環境の場合に、サンプル測定部３３０における測定値が４８６０１イベント、バックグラウンド測定部３１０における測定値が４７２４４イベント、差分算出部３６０における差分値が１３５７イベントのように、差分は全体の約３％に過ぎない。
【００３２】
空間線量に関しては、例えば、ある実験室におけるバックグラウンドは、０．０４〜０．０５μＳｖ／ｈ、茨城県水戸市のある場所の地面においては、０．０６〜０．１μＳｖ／ｈ（除染基準の空間線量は、０．２３μＳｖ／ｈ）のように、地面５００の線量にはバラつきがある。そのため、微量の放射能を測定するためには、測定対象物４００を測定した場所において無汚染物４１０も測定する。すなわち、測定するものの大きさや重量、場所等の条件を同じにする必要がある。
【００３３】
図３（ａ）に示すサンプル測定部３３０におけるエネルギースペクトルからバックグラウンド測定部３１０におけるエネルギースペクトルを差し引くと、図３（ｂ）に示すように、差分算出部３６０における結果として、測定対象物４００由来のガンマ線のエネルギースペクトルが得られる。そして、予め放射能の量が分かっている線源から検出されたガンマ線のイベント数と比較等することで、測定対象物４００由来の放射能は、６１±１５Ｂｑと推定される。
【００３４】
図４は、放射能測定システムの検出器の設置位置を比較した図である。図４（ａ）では、検出部２００に対して、地面５００からのガンマ線による影響が少ない上（空）側に測定対象物４００を載置した状態である。また、図４（ｂ）では、検出部２００に対して、地面５００からのガンマ線による影響が大きい下（地面）側に測定対象物４００を配置した状態である。
【００３５】
そして、検出部２００の上に測定対象物４００を載置して測定した場合と、測定対象物４００の上に検出部２００を配置して測定した場合とを比較する。なお、屋外で約２０分間測定したときの誤差を検証する。
【００３６】
測定誤差には、制御できない要因によってバラつきが生じる統計誤差（偶然誤差）や、同じ方法であれば系統的にズレが生じる系統誤差が含まれる。統計誤差は測定時間を長くする、もしくは複数の検出器を用いて感度を向上させることにより精密さが向上するので、系統誤差を少なくして正確さを向上させる。
【００３７】
図４（ｃ）に示すように、本例における測定誤差は、検出部２００の上に測定対象物４００を載置した場合は２７７、検出部２００の下に測定対象物４００を配置した場合は３５８である。また、本例における統計誤差は、検出部２００の上に測定対象物４００を載置した場合は２２８、検出部２００の下に測定対象物４００を配置した場合は２１５である。なお、検出部２００の上に測定対象物４００を載置すると、測定対象物４００が検出部２００を遮蔽することになるので、統計誤差が若干大きくなる。
【００３８】
測定誤差と統計誤差から本例における系統誤差を推定すると、検出部２００の上に測定対象物４００を載置した場合は１５７、検出部２００の下に測定対象物４００を配置した場合は２８６である。
【００３９】
検出部２００の上に測定対象物４００を載置した場合、下側からのガンマ線の影響はむしろ大きいが、無汚染物４１０の測定でも地面から受ける影響は同じであるため、測定対象物４００や無汚染物４１０の乗せ換えで起こる系統誤差は、測定対象物４００を下側にするより上側に置いた方が小さくなる。現在の測定誤差では、系統誤差が効いてくるため、その影響が小さくなる方（検出部２００の上に測定対象物４００を載置した場合）が好ましい。
【００４０】
図５は、放射能測定システムについて従来と比較したグラフである。なお、横軸をゲルマニウム半導体検出器による放射能濃度（Ｂｑ／ｋｇ）、縦軸を放射能測定システム１００で推定した放射能（Ｂｑ）として散布図にしたものである。なお、放射線測定システム１００において、質量を測定しておらず、また測定値に対して重量による補正をしていない場合に、ゲルマニウム半導体検出器との相関係数から換算する際に利用することが可能となる。
【００４１】
図５に示すように、最小二乗法により回帰直線を求めると、相関係数が０．９２となり、線形な関係にあると言える。放射能測定システム１００において目標としている５０Ｂｑ／ｋｇ以下の微量な放射能も測定することが可能である。
【実施例２】
【００４２】
実施例１を前提に、本発明である放射能測定システムを実現するコンピュータプログラムの処理について説明する。図６は、放射能測定システムにおける処理の流れを示すフローチャートである。放射能測定システム１００の装置構成を用いた放射能測定方法の手順を示すものである。
【００４３】
図６に示すように、制御部３００が実行するプログラムは、バックグラウンド測定ステップＳ３１０、データ記憶ステップＳ３２０、サンプル測定ステップＳ３３０、サイズ確認ステップＳ３４０、データ照合ステップＳ３５０、差分算出ステップＳ３６０、及び結果出力ステップＳ３７０等を有する。なお、一部のステップ（例えば、サイズ確認ステップＳ３４０やデータ照合ステップＳ３５０等）を省略しても良い。
【００４４】
バックグラウンド測定ステップＳ３１０は、バックグラウンド測定部３１０が無汚染物４１０を用いて地面５００から放射されるガンマ線のみのデータを検出部２００で測定し、入力データとして取得する。
【００４５】
データ記憶ステップＳ３２０は、バックグラウンド測定ステップＳ３１０で入力されたデータをデータ記憶部３２０がデータベース６００に蓄積する。なお、データが１件であれば一時的な記憶でも良い。また、バックグラウンド測定ステップＳ３１０及びデータ記憶ステップＳ３２０を繰り返して、複数の大きさ及び重量の無汚染物４１０による地面５００からのガンマ線を測定したデータを蓄積しても良い。
【００４６】
サンプル測定ステップＳ３３０は、サンプル測定部３３０が測定対象物４００に含まれる放射性セシウムから放射されるガンマ線と、地面５００から放射されるガンマ線の両方を含むデータを検出部２００で測定し、入力データとして取得する。なお、サンプル測定ステップＳ３３０で入力されたデータは、データ記憶部３２０が一時的に記憶すれば良い。
【００４７】
サイズ確認ステップＳ３４０は、サイズ確認部３４０がサンプル測定ステップＳ３３０で測定された測定対象物４００の大きさ及び重量を取得する。サイズ確認部３４０は、計測器などを用いて自動的に測定対象物４００の大きさや重量を取得しても良いし、ユーザ（測定者）がメジャー等で径を測る等した上で、ユーザからの入力を受け付けて取得しても良い。
【００４８】
データ照合ステップＳ３５０は、データ照合部３５０が、まずサイズ確認ステップＳ３４０で取得した大きさ（太さや形状を含む）や重量などのパラメータを条件として、データベース６００から地面５００からのガンマ線のデータを抽出する。なお、多くの種類やパラメータについてデータが蓄積されていれば、条件により合致するものを抽出することが可能となる。
【００４９】
また、ホダ木として使用する木の太さが直径８〜１２ｃｍの場合に、例えば、無汚染物４１０として直径が９ｃｍと１１ｃｍのデータを蓄積していたとする。サンプル測定ステップＳ３３０で測定された測定対象物４００の直径が１０ｃｍだった場合は、蓄積されているデータを基に１０ｃｍのデータを推定しても良い。その他、重量を測定していない場合に、測定値に対する重量による補正や相関係数からの換算などを行っても良い。
【００５０】
差分算出ステップＳ３６０は、サンプル測定ステップＳ３３０で取得したガンマ線のデータと、データ照合ステップＳ３５０で取得したガンマ線のデータとの差分から、差分算出部３６０が測定対象物４００に含まれる放射能を推定する。
【００５１】
なお、１件ごと測定する場合は、サンプル測定ステップＳ３３０で取得したガンマ線のデータから、バックグラウンド測定ステップＳ３１０で取得したガンマ線のデータを差し引くことで、測定対象物４００に含まれる放射能を推定しても良い。
【００５２】
結果出力ステップＳ３７０は、結果出力部３７０が、差分算出ステップＳ３６０で算出した結果データをデータベース６１０に保存したり、モニタやプリンタに文字や画像として出力したりする。なお、必要な加工を施すなど編集処理をしても良い。また、結果データが予め設定した範囲外の場合は文字や音声等を出力しても良い。
【００５３】
予めデータベース６００に複数の無汚染物４１０によるデータが蓄積されていれば、バックグラウンド測定ステップＳ３１０からでなく、サンプル測定ステップＳ３３０以降の処理を繰り返せば良い。
【００５４】
このように、バックグラウンドとなる空間線量が高い（０．１μＳｖ／ｈ程度）の環境であっても、遮蔽体を使用せずに微量（５０Ｂｑ／ｋｇ程度）の放射能を非破壊で測定することができる。また、重量のある遮蔽体を使用しないため、装置自体が非常に軽く（３ｋｇ以下）、現場に簡単に持ち運ぶことができる。さらに大規模な装置として設置する必要がないので、コストも大幅に低く抑えることができる。
【００５５】
低レベル汚染地域において、現場で簡単に安全なホダ木を選別することができる。ホダ木を破壊する必要はないので、バックグラウンド以下の微量な放射能を測定し、そのまま栽培へ使用することができる。そのため、放射能汚染によって栽培が困難となった地域におけるシイタケ産業の再開に貢献することができる。
【００５６】
ホダ木の置き方のわずかな差によって地面から放射されるガンマ線の寄与が変化しないように、系統誤差が小さくなるような置き方にすることで、ホダ木自身が有する遮蔽効果が考慮され、検出されるガンマ線のイベント数の不定性を小さくすることができる。
【００５７】
以上、本発明の実施例を述べたが、これらに限定されるものではない。例えば、検出部２００は、放射線に励起されることにより発光するその他のシンチレータと、光電効果により光エネルギーを電気エネルギーに変換するその他の光検出器を組み合わせたものでも良い。
【００５８】
また、検出部２００を複数設ける場合に、結晶シンチレータ２１０を中央に集めるのではなく、間欠的に配置して測定対象物４００の複数の部位において測定するようにしても良い。これにより、測定対象物４００に部分的に放射能の強弱があっても、部位によるばらつきを考慮した測定をすることができる。
【００５９】
なお、検出部２００は、測定対象物４００の下に配置するだけでなく、測定対象物４００自身が有する遮蔽効果を考慮して適切な位置に配置すれば良い。本発明は、シイタケ栽培に使用されるホダ木に限らず、様々なものを対象とすることができる。
【符号の説明】
【００６０】
１００：放射能測定システム
２００：検出部
２１０：結晶シンチレータ
２２０：光電子増倍管
３００：制御部
３１０：バックグラウンド測定部
３２０：データ記憶部
３３０：サンプル測定部
３４０：サイズ確認部
３５０：データ照合部
３６０：差分算出部
３７０：結果出力部
４００：測定対象物
４１０：無汚染物
５００：地面
６００：データベース
６１０：データベース
【図１】
2018151225.tif 000003
【図２】
2018151225.tif 000004
【図３】
2018151225.tif 000005
【図４】
2018151225.tif 000006
【図５】
2018151225.tif 000007
【図６】
2018151225.tif 000008